(57)【要約】【課題】  開閉する脚の不用意な閉じを防止することができる脚部構造を提供する。【解決手段】  脚部３１の固定部３２に脚４１を回動自在に設け、円筒部３３の小径部４４に、パイプ材からなる内嵌部材５１を上下動自在に挿入する。内嵌部材５１に設けられた端部固定部材６１と脚４１の中途部とを連結部材６３で連結し、脚４１を広げた展開状態７１と脚４１を閉じた閉鎖状態７２とを形成可能に構成する。展開状態７１から閉鎖状態７２への移行時に円筒部３３を挿通する内嵌部材５１の所定箇所に、小径部４４の内径寸法８２より大きな外形寸法を有する異形部８３を形成する。【選択図】        図３
0003116314.tif 000002
【実用新案登録請求の範囲】
【請求項１】
挿入穴に内嵌部材がスライド可能に内嵌された嵌合構造において、
前記挿通穴の穴形状と前記内嵌部材の横断面形状とが異なる形状の異形部を備えたことを特徴とする嵌合構造。
【請求項２】
前記挿通穴の穴形状を円形に設定するとともに、前記内嵌部材を前記横断面形状が円形のパイプ材で構成する一方、
前記異形部での前記内嵌部材の横断面形状を楕円形に設定したことを特徴とする請求項１記載の嵌合構造。
【請求項３】
一方の管体に他方の管体がスライド可能に内嵌する物干し竿において、
前記一方の管体の穴形状と前記他方の管体の横断面形状とが異なる形状の異形部を備えたことを特徴とする物干し竿。
【請求項４】
前記一方の管体の穴形状を円形に設定するとともに、前記他方の管体を前記横断面形状が円形のパイプ材で構成する一方、
前記異形部での前記他方の管体の横断面形状を楕円形に設定したことを特徴とする請求項３記載の物干し竿。
【請求項５】
支柱が挿通する挿通穴を備えた嵌合部材を移動することによって、該嵌合部材に一端部が支持されるとともに中途部が連結部材を介して前記支柱に支持された第１部材を側方に広げた展開状態と前記第１部材を閉じた閉鎖状態とを形成する物干しにおいて、
前記挿通穴の穴形状と前記支柱の横断面形状とが異なる形状の異形部を備えたことを特徴とする物干し。
【請求項６】
前記挿通穴の穴形状を円形に設定するとともに、前記支柱を前記横断面形状が円形のパイプ材で構成する一方、
前記異形部での前記支柱の横断面形状を楕円形に設定したことを特徴とする請求項５記載の物干し。
【請求項７】
支柱に設けられた脚部が、前記支柱に固定される固定部と、該固定部に端部が回動自在に支持された脚と、前記固定部に設けられた上下に延在する挿通穴に移動自在に内嵌された内嵌部材と、前記固定部及び前記脚を連結する連結部材とで構成され、前記固定部に対して前記内嵌部材を上下移動して前記脚部を広げた展開状態と前記脚部を閉じた閉鎖状態とを形成する物干しにおいて、
前記挿通穴の穴形状と前記内嵌部材の横断面形状とが異なる形状の異形部を備えたことを特徴とする物干し。
【請求項８】
前記挿通穴の穴形状を円形に設定するとともに、前記内嵌部材を前記横断面形状が円形のパイプ材で構成する一方、
前記異形部での前記内嵌部材の横断面形状を楕円形に設定したことを特徴とする請求項７記載の物干し。
【考案の詳細な説明】
【技術分野】
【０００１】
本考案は、例えば物干しの嵌合構造及び物干し竿並びに物干しに関する。
【背景技術】
【０００２】
従来、物干しや物干し竿には、管体同士を嵌合した嵌合構造が利用されている。
【考案の開示】
【考案が解決しようとする課題】
【０００３】
しかしながら、このような嵌合構造にあっては、所定の力で管体がスライドするように管体の寸法を設定しようとすると高度な製管技術を要する。
【０００４】
本考案は、このような従来の課題に鑑みてなされたものであり、高度な製管技術を用いることなく、スライド抵抗を増大することができる嵌合構造及び物干し竿並びに物干しを提供することを目的とするものである。
【課題を解決するための手段】
【０００５】
前記課題を解決するために本考案の請求項１の嵌合構造にあっては、挿入穴に内嵌部材がスライド可能に内嵌された嵌合構造において、前記挿通穴の穴形状と前記内嵌部材の横断面形状とが異なる形状の異形部を備えている。
【０００６】
すなわち、挿通穴の穴形状と該挿入穴に内嵌する内嵌部材の横断面形状とを異なる形状の異形部を設定することで、高度な製管技術を用いることなく、スライド抵抗を増大することができる。
【０００７】
また、請求項２の嵌合構造においては、前記挿通穴の穴形状を円形に設定するとともに、前記内嵌部材を前記横断面形状が円形のパイプ材で構成する一方、前記異形部での前記内嵌部材の横断面形状を楕円形に設定した。
【０００８】
すなわち、内嵌部材は、横断面形状が円形のパイプ材で構成されており、当該内嵌部材の横断面形状は楕円形に設定されている。
【０００９】
このため、前記パイプ材の一部を押圧して変形するだけで、前記異形部を設定することができる。
【００１０】
また、本考案の請求項３の物干し竿にあっては、一方の管体に他方の管体がスライド可能に内嵌する物干し竿において、前記一方の管体の穴形状と前記他方の管体の横断面形状とが異なる形状の異形部を備えている。
【００１１】
さらに、請求項４の物干し竿においては、前記一方の管体の穴形状を円形に設定するとともに、前記他方の管体を前記横断面形状が円形のパイプ材で構成する一方、前記異形部での前記他方の管体の横断面形状を楕円形に設定した。
【００１２】
これにより、請求項１及び２と同様の作用効果を奏することができ、前記管体にダンパー機能を持たせることができる。
【００１３】
また、本考案の請求項５の物干しにあっては、支柱が挿通する挿通穴を備えた嵌合部材を移動することによって、該嵌合部材に一端部が支持されるとともに中途部が連結部材を介して前記支柱に支持された第１部材を側方に広げた展開状態と前記第１部材を閉じた閉鎖状態とを形成する物干しにおいて、前記挿通穴の穴形状と前記支柱の横断面形状とが異なる形状の異形部を備えている。
【００１４】
さらに、請求項６の物干しにおいては、前記挿通穴の穴形状を円形に設定するとともに、前記支柱を前記横断面形状が円形のパイプ材で構成する一方、前記異形部での前記支柱の横断面形状を楕円形に設定した。
【００１５】
これにより、請求項１及び２と同様の作用効果を奏することができ、第１部材の開閉にダンパー機能を持たせることができる。
【００１６】
また、本考案の請求項７の物干しにあっては、支柱に設けられた脚部が、前記支柱に固定される固定部と、該固定部に端部が回動自在に支持された脚と、前記固定部に設けられた上下に延在する挿通穴に移動自在に内嵌された内嵌部材と、前記固定部及び前記脚を連結する連結部材とで構成され、前記固定部に対して前記内嵌部材を上下移動して前記脚部を広げた展開状態と前記脚部を閉じた閉鎖状態とを形成する物干しにおいて、前記挿通穴の穴形状と前記内嵌部材の横断面形状とが異なる形状の異形部を備えている。
【００１７】
さらに、請求項８の物干しにおいては、前記挿通穴の穴形状を円形に設定するとともに、前記内嵌部材を前記横断面形状が円形のパイプ材で構成する一方、前記異形部での前記内嵌部材の横断面形状を楕円形に設定した。
【００１８】
これにより、請求項１及び２と同様の作用効果を奏することができ、脚の開閉にダンパー機能を持たせることができる。
【考案の効果】
【００１９】
以上説明したように、本考案の請求項１の嵌合構造にあっては、挿通穴の穴形状と該挿入穴に内嵌する内嵌部材の横断面形状とを異なる形状の異形部を設定することで、高度な製管技術を用いることなく、スライド抵抗を増大することができる。
【００２０】
また、請求項２の嵌合構造においては、内嵌部材を構成するパイプ材の一部を押圧して変形するだけで、前記異形部を設定することができる。
【００２１】
そして、本考案の請求項３及び４の物干しにあっても、請求項１及び２と同様の作用効果を奏することができ、前記管体にダンパー機能を持たせることができる。
【００２２】
また、本考案の請求項５及び６の物干しにあっても、請求項１及び２と同様の作用効果を奏することができ、第１部材の開閉にダンパー機能を持たせることができる。
【００２３】
また、本考案の請求項７及び８の物干しにあっても、請求項１及び２と同様の作用効果を奏することができ、脚の開閉にダンパー機能を持たせることができる。
【００２４】
このため、脚部が展開状態にある支柱を持ち上げて移動する場合であっても、前記脚部の脚の不用意な閉じを防止することができる。
【考案を実施するための最良の形態】
【００２５】
（第１の実施の形態）
【００２６】
以下、本発明の第１の実施の形態を図に従って説明する。図１は、本実施の形態にかかる嵌合構造を備えた備えた折り畳み式の物干し１を示す図であり、当該物干し１が展開された状態が示されている。
【００２７】
この物干し１は、離間して立設された一対の支柱１１，１１を備えており、両支柱１１，１１の上端部には、上部パイプ１２が架橋されている。これにより、この上部パイプ１２にハンガー１３，・・・等を吊り下げられるように構成されている。
【００２８】
前記両支柱１１，１１の中途部には、中桟２１が架橋されており、該中桟２１の一側面には、側方へ傾倒した状態で回転規制される複数のタオルアーム２２，・・・が回動可能に支持されている。また、前記中桟２１の他側面には、側方へ突出した状態で回動規制されるタオルハンガー２３が回動可能に支持されており、横方向に延在する複数の横バー２４，・・・にタオルなどを掛けられるように構成されている。
【００２９】
前記各支柱１１の下端部には、当該物干し１を支持する脚部３１が設けられており、該脚部３１は、図２にも示すように、前記支柱１１の下端部に固定された固定部３２を備えている。該固定部３２は、図３に示すように、上下に延在する円筒状の円筒部３３と、該円筒部３３の側部に図外のリブを介して設けられた一対の側板３４，３４とによって構成されており（図２参照）、両側板３４，３４の傾斜した上縁は、連設面３５，３５によって連設されている。
【００３０】
前記両側板３４，３４間には、パイプ材からなる第１部材としての一対の脚４１，４１が設けられており、各脚４１，４１は、その上端部が軸部４２，４２によって回動自在に軸支されている。前記円筒部３３は、図３に示したように、上部を形成する大径部４３と下部を構成する小径部４４とによって構成されており、前記大径部４６には、前記支柱１１の下端部が挿入された状態で固定されている。
【００３１】
また、前記円筒部３３の前記小径部４４には、円筒のパイプ材で構成された内嵌部材５１が上下動自在に挿入されており、前記小径部４４は、本考案の上下に延在する挿通穴を構成している。前記内嵌部材５１は、前記支柱１１の内径寸法５２より小径に設定されており、その上端部を前記支柱１１内へ移動自在に挿入できるように構成されている。
【００３２】
この内嵌部材５１の下端部には、端部固定部材６１が固定されており、該端部固定部材６１の側部に設けられた側方延出部６２，６２には、一対のへの字形状の連結部材６３，６３の一端が軸部６４，６４を介して回動自在に支持されている。各連結部材６３，６３の他端部は、対応する前記脚４１，４１の中途部に軸部６５，６５を介して回動自在に支持されている。
【００３３】
これにより、図３に示すように、前記固定部３２に対して前記内嵌部材５１を上方へ移動した際には、傾倒した前記連結部材６３，６３が脚４１，４１を外側に押し広げた展開状態７１を形成できるように構成されており、前記固定部３２に対して前記内嵌部材５１を下方へ移動した際には、図４に示すように、前記連結部材６３，６３が起立するに従って前記脚４１，４１を下方に回動し、両脚４１，４１が内側に閉じた閉鎖状態７２を形成できるように構成されている。
【００３４】
そして、前記展開状態７１から前記閉鎖状態７２へ移行する際に前記円筒部３３の前記小径部４４を挿通する前記内嵌部材５１の所定箇所８１には、図５に示すように、前記小径部４４の内径寸法８２（図３参照）より大きな外形寸法を有する異形部８３が当該内嵌部材５１の下端８４寄りに形成されている。
【００３５】
すなわち、この異形部８３は、前記内嵌部材５１を構成するパイプ材が側面から油圧プレスによってゆっくりプレスされて形成されており、当該内嵌部材５１の長さ方向に直交した横断面形状が、前記異形部８３において楕円形状となるように構成されている。これにより、前記内嵌部材５１は、前記所定箇所８１の横断面形状が前記円筒部３３の前記小径部４４が形成する円形の穴形状と異なる形状に設定されており、当該内嵌部材５１の一部に前記異形部８３が形成されている。この異形部８３の外形寸法は、最も大きな部位９１において、前記小径部４４の内径寸法８２より大きくなるように設定されている。
【００３６】
具体的に説明すると、前記円筒部３３の前記小径部４４における内径寸法８２は、２３ｍｍに設定されており、前記内嵌部材５１の一般部１０１での外形寸法１０２は、２２．６ｍｍに設定されている。そして、前記異形部８３では、最も小さな部位１０３での外形寸法は、２１．２〜２１．４ｍｍに設定される一方、最も大きな部位９１での外形寸法は、２３．５〜２３．７ｍｍに設定されている。
【００３７】
以上の構成にかかる本実施の形態において、支柱１１，１１に設けられた脚部３１，３１が展開状態７１にある物干し１を移動する際には、前記脚部３１，３１が持ち上げられる。このとき、前記脚部３１の脚４１，４１には、自重によって下方へ向けた閉じ方向の力が働き、前記支柱１１に設けられた固定部３２の円筒部３３に挿入された内嵌部材５１には、下方へ移動する方向に力が作用する。
【００３８】
しかし、この内嵌部材５１には、前記展開状態７１から閉鎖状態７２へ移行する際に前記円筒部３３の小径部４４を挿通する所定箇所８１に、前記小径部４４の内径寸法８２より大きな外形寸法を有する異形部８３が設定されている。
【００３９】
このため、この異形部８３によって前記固定部３２に対する前記内嵌部材５１にダンパー機能を作用させ、当該内嵌部材５１の下方への移動を阻止して、前記脚４１，４１の不用意な閉じを防止することができる。これにより、利便性が向上する。
【００４０】
また、前記内嵌部材５１の所定箇所８１において、その横断面形状を前記小径部４４の穴形状とを異なる形状に設定することで、前記異形部８３を形成することができる。
【００４１】
すなわち、本実施の形態にあっては、前記内嵌部材５１を円形のパイプ材で構成するとともに、当該内嵌部材５１の前記所定箇所８１に設定された前記異形部８３での横断面形状は楕円形に設定されている。
【００４２】
このため、前記内嵌部材５１を構成するパイプ材の一部を押圧して変形するだけで、横断面形状が楕円形の前記異形部８３を形成することができる。
【００４３】
これにより、前記内嵌部材５１の側面を凸プレスする場合と比較して、前記固定部３２の削れを防止することができ、経時的変化による機能低下を防止することができる。
【００４４】
また、前記各脚４１を軸支する軸部４２による締め付けを強くして脚４１の不用意な閉じ動作を制限する場合と比較して、製品毎のバラツキを防止することができる。
【００４５】
なお、本実施の形態にあっては、前記固定部３２の円筒部３３で本考案の挿通穴を構成し、該円筒部３３に内嵌する内嵌部材５１を楕円形状に変形して異形部８３を設定したが、これに限定されるものではなく、図６の（ａ）に示すように、パイプ材２０１で挿通穴２０２を構成し、該挿通穴２０２に内嵌する内嵌部材２０３を樹脂で形成するとともに、前記パイプ材２０１を楕円形状に変形して異形部２０４を形成しても良い。
【００４６】
また、図６の（ｂ）に示すように、前記パイプ材２０１の周面を窪ませて内側に突出させることにより、当該パイプ材２０１に異形部２１１を設定しても良い。
【００４７】
さらに、図６の（ｃ）に示すように、前記パイプ材２０１の横断面形状を楕円形とするとともに、前記内嵌部材の横断面形状を円形にしても良い。
【００４８】
（第２の実施の形態）
【００４９】
図７は、第２の実施の形態を示す図であり、物干し３０１の支柱３０２の上部に腕部３０３が設けられている。
【００５０】
該腕部３０３は、前記支柱３０２に外嵌する嵌合部材３１１を備えており、該嵌合部材３１１には、前記支柱３０２が挿通する挿通穴が設けられている。この嵌合部材３１１には、第１部材としての一対の腕３１２，３１２が回動自在に支持されており、各腕３１２，３１２の中途部には、連結部材３１３，３１３の一端が支持されている。該連結部材３１，３１３の他端は、前記支柱３０２の端部に設けられた端部固定部材３１４に回動自在に支持されており、前記嵌合部材３１１を上下動することによって、前記腕３１２，３１２を側方に広げた展開状態と、閉じた閉鎖状態とを形成できるように構成されている。
【００５１】
そして、前記支柱３０２の所定箇所には、図５と同様に、前記挿通穴の内径寸法より大きな外形寸法を有する異形部が設定されている。
【００５２】
これにより、第１の実施の形態と同様に、前記異形部によって前記支柱３０２に対する前記嵌合部材３１１の移動にダンパー機能を作用させ、当該嵌合部材３１１の移動を阻止して、前記腕３１２，３１２の不用意な閉じを防止することができる。
【００５３】
（第３の実施の形態）
【００５４】
図８は、第３の実施の形態を示す図であり、物干し竿３０１が示されている。
【００５５】
該物干し竿３０１は、一方の管体としての円筒形の太パイプ３１１と、他方の管体としての円筒形の細パイプ３１２とからなり、前記太パイプ３１１の先端部には、プラスチック製の嵌合パーツ３１２が嵌着されている。該嵌合パーツ３１２が形成する挿通穴３１３には、前記細パイプ３１２がスライド可能に内嵌しており、当該細パイプ３１２の基端には、ストッパ３１４が設けられている。
【００５６】
そして、前記細パイプ３１２の基端部には、図５と同様に、前記挿通穴３１３の内径寸法より大きな外形寸法を有する異形部３２１が設定されており、該異形部３２１は、前記細パイプ３１２の側面が押圧されることによって横断面形状が楕円形に形成されている。
【００５７】
これにより、第１の実施の形態と同様に、前記異形部３２１によって前記嵌合パーツ３１２に対する前記細パイプ３１２の移動にダンパー機能を作用させ、当該細パイプ３１２の移動を阻止して、前記細パイプ３１２の不用意な延出を防止することができる。
【図面の簡単な説明】
【００５８】
【図１】本考案の第１の実施の形態を示す斜視図である。
【図２】同実施の形態の脚部を示す斜視図である。
【図３】同実施の形態の脚部を示す断面図である。
【図４】同実施の形態の脚部を閉鎖した状態を示す断面図である。
【図５】同実施の形態の内嵌部材を示す説明図である。
【図６】同実施の形態の変形例を示す説明図である。
【図７】本考案の第２の実施の形態を示す側面図である。
【図８】本考案の第３の実施の形態を示す一部断面図である。
【符号の説明】
【００５９】
１    物干し
１１    支柱
３１    脚部
３２    固定部
４１    脚
４４    小径部
５１    内嵌部材
６３    連結部材
７１    展開状態
７２    閉鎖状態
８１    所定箇所
８３    異形部
【図１】
0003116314.tif 000003
【図２】
0003116314.tif 000004
【図３】
0003116314.tif 000005
【図４】
0003116314.tif 000006
【図５】
0003116314.tif 000007
【図６】
0003116314.tif 000008
【図７】
0003116314.tif 000009
【図８】
0003116314.tif 000010